Podtech/llm-jp-corpus-v4-ja_patent huggingface dataset:
【手続補正書】
【提出日】平成21年5月13日(2009.5.13)
【手続補正１】
【補正対象書類名】特許請求の範囲
【補正対象項目名】全文
【補正方法】変更
【補正の内容】
【特許請求の範囲】
【請求項１】
製薬材料の粒子（１２）を収容する蓋と本体（３、４）とを有するタイプの硬質ゼラチンカプセル（Ｃ）を製造するためのカプセル充填機（１０）において、
最初に前記カプセルの前記蓋（３）と前記本体（４）とを分離した後に組み合わせることにより前記カプセル（Ｃ）を開いて閉じるために前記カプセル（Ｃ）を保持及び取扱うための複数のスライドユニット（５）を取付ける回転カルーセル（２）と、一服分量の前記粒子（１２）をそれぞれの前記カプセルの本体（４）内に充填するために前記粒子（１２）を前記カルーセル（２）に供給するための手段（１１）とを備え、
前記供給手段（１１）が前記粒子（１２）の密集体を収容する少なくとも一つのホッパ（１３）と、前記ホッパ（１３）内の前記粒子（１２）の密集体に部分的に浸されるローラ手段（１４）とを備え、該ローラ手段（１４）が、前記ホッパ（１３）から取り出す規定数の前記粒子（１２）を収容及び保持且つ次に前記粒子（１２）を前記カルーセル（２）に取り付けた一続きの中空の導管（１６）内に解放するための複数の吸引凹部（１５）を有することを特徴とするカプセル充填機。
【請求項２】
中空の前記導管（１６）が、前記カルーセル（２）自体と一体となって回転するように前記カルーセル（２）に取付けられたディスク状（１７）要素に均等に振り分けて配置されている請求項１に記載のカプセル充填機。
【請求項３】
前記導管（１６）が、前記ローラ手段（１４）から落下する前記粒子（１２）を集積し且つ前記粒子（１２）を前記カプセル（Ｃ）の本体内に入れるために概略漏斗形状になっており、前記ローラ手段（１４）の前記凹部（１５）から落下する前記粒子を集積するために前記導管（１６）の底側端部を閉じるための往復動プレート手段（１８）が設けられている請求項１又は請求項２に記載のカプセル充填機。
【請求項４】
前記ローラ手段（１４）の前記凹部（１５）が、規定数の前記粒子（１２）で適切に満たされていることを確認するための検出手段（２０）をさらに備えている請求項１から請求項３の何れか一項に記載のカプセル充填機。
【請求項５】
前記カプセル充填機が回転摺切手段（１９）をさらに備え、該回転摺切手段（１９）が前記ローラ手段（１４）と連結されており、中空の前記凹部（１５）が正確に満たされ且つ過剰な前記粒子（１２）を前記ホッパ（１３）の前記密集体内に戻すように設計されている請求項１から請求項４の何れか一項に記載のカプセル充填機。
【手続補正書】
【提出日】平成21年3月23日(2009.3.23)
【手続補正１】
【補正対象書類名】特許請求の範囲
【補正対象項目名】全文
【補正方法】変更
【補正の内容】
【特許請求の範囲】
【請求項１】
透明材料を切開するシステムであって、
切開から所望の結果を特定する手段と、
前記切開中に変更すべき透明材料のボリュームを決定する手段と、
前記切開の原型切開路を識別する手段と、
前記透明材料の局所解剖学的構造を画定する手段と、
前記局所解剖学的構造に基づいて前記切開の予想結果を計算する手段と、
前記予想結果と前記所望の結果との差を最小限にする改良済み切開路を確立するために、前記原型切開路を修正する手段と、
前記改良済み切開路に沿って前記透明材料を切開する手段と、を備えるシステム。
【請求項２】
請求項１に記載のシステムにおいて、前記改良済み切開路が、前記透明材料の切開中に誘起される高次収差を最小にし、前記透明材料の既存の高次収差を矯正する、システム。
【請求項３】
請求項１に記載のシステムにおいて、前記改良済み切開路が変更すべき透明材料の前記ボリュームの境界を区切り、
該システムが、
前記透明材料に窪みを生成するために、透明材料の前記ボリュームを除去する手段と、
人工器官を前記窪みに挿入する手段を、さらに備える、システム。
【手続補正書】
【提出日】平成21年5月15日(2009.5.15)
【手続補正１】
【補正対象書類名】特許請求の範囲
【補正対象項目名】請求項１０
【補正方法】変更
【補正の内容】
【請求項１０】
前記熱保持部が金属ブロックを有する請求項９に記載の装置。
【手続補正書】
【提出日】平成21年3月27日(2009.3.27)
【手続補正１】
【補正対象書類名】特許請求の範囲
【補正対象項目名】請求項２
【補正方法】変更
【補正の内容】
【請求項２】
一方の前記固定部材が、接着タブであり、他方の前記固定部材が、閉鎖接触の実行及び解除が繰り返される際に前記接着タブへ転移することにより前記固定手段の接触強度を劣化させる繊維材料と、接触の実行及び解除が行われる領域における前記繊維材料の転移ひいては該固定手段の閉鎖強度を調整するために該繊維材料に付与される手段とから作成される、請求項１に記載の固定手段。
【手続補正書】
【提出日】平成21年7月31日(2009.7.31)
【手続補正１】
【補正対象書類名】特許請求の範囲
【補正対象項目名】全文
【補正方法】変更
【補正の内容】
【特許請求の範囲】
【請求項１】
In vitroでの再プログラムする方法であって：
（ａ）第一の表現型を有する真核細胞におけるＳ−アデノシルメチオニン対Ｓ−アデノシルホモシステイン比（ＳＡＭ対ＳＡＨ比）を減少させるステップ、
（ｂ）ステップ（ａ）の後に得た前記細胞の表現型に前記第一の表現型を比較するステップ、及び、
（ｃ）前記細胞のうち分化能が回復された細胞をステップ（ｂ）から選択するステップ、
を含む方法。
【請求項２】
請求項１に記載の方法であって：
ステップ（ｂ）に先立ち、前記真核細胞内のＤＮＡにおける５−メチルシトシンのレベルを減少させるステップをさらに含む方法。
【請求項３】
Ｓ−アデノシルメチオニン対Ｓ−アデノシルホモシステイン比を減少させるステップ及びＤＮＡにおける５−メチルシトシンのレベルを減少させるステップを同時に行う、請求項２に記載の方法。
【請求項４】
ＤＮＡにおける５−メチルシトシンのレベルを減少させるステップが、前記真核細胞内のＤＮＡメチルトランスフェラーゼの発現、活性、又は発現及び活性を特異的に抑制することを含む、請求項２に記載の方法。
【請求項５】
ＤＮＡにおける５−メチルシトシンのレベルを減少させるステップが、前記細胞をＤＮＡメチルトランスフェラーゼ阻害物質に接触させることを含む、請求項４に記載の方法。
【請求項６】
ＤＮＡにおける５−メチルシトシンのレベルを減少させるステップが、抑制に効果的な量の、ＤＮＡメチルトランスフェラーゼの発現を抑制するために必要な大きさで形成された低分子干渉リボ核酸（ｓｉＲＮＡ）に前記細胞を接触させることを含む、請求項４に記載の方法。
【請求項７】
ステップ（ａ）が、ＳＥＱＩＤ番号：１４の核酸配列を含むｓｉＲＮＡに前記細胞を接触させることを含む、請求項１に記載の方法。
【請求項８】
ステップ（ａ）が、前記真核細胞内のグリシン−Ｎ−メチルトランスフェラーゼの発現、活性、又は発現及び活性両方を増加させることを含む、請求項１に記載の方法。
【請求項９】
ステップ（ａ）が、前記細胞内のグリシン−Ｎ−メチルトランスフェラーゼの発現、活性、又は発現及び活性両方を増加させるのに効果的なある量のレチノイン酸に前記細胞を接触させることを含む、請求項８に記載の方法。
【請求項１０】
前記ＳＡＭ対ＳＡＨ比を０．１以下まで減少する、請求項１に記載の方法。
【請求項１１】
前記ＳＡＭ対ＳＡＨ比を０．５以下まで減少する、請求項１に記載の方法。
【請求項１２】
前記ＳＡＭ対ＳＡＨ比を１．００以下まで減少する、請求項１に記載の方法。
【請求項１３】
In vitroでの再プログラムする方法であって：
（ａ）第一の表現型を有する真核細胞内のＤＮＡメチルトランスフェラーゼの発現、活性、又は発現及び活性を特異的に抑制するステップ；並びに、同時に、
（ｂ）前記真核細胞内のグリシン−Ｎ−メチルトランスフェラーゼの発現、活性、又は発現及び活性を増加させるステップ；
（ｃ）ステップ（ａ）及び（ｂ）の後に得た前記細胞の表現型に前記第一の表現型を比較するステップ；並びに、
（ｄ）前記細胞のうち分化能が回復された細胞をステップ（ｃ）から選択するステップ；
を含む方法。
【請求項１４】
ステップ（ａ）が、抑制に効果的な量の、ＤＮＡメチルトランスフェラーゼの発現を抑制するために必要な大きさで形成されたｓｉＲＮＡに前記細胞を接触させることを含む、請求項１３に記載の方法。
【請求項１５】
ステップ（ａ）が、抑制に効果的な量の、前記細胞内のＤＮＡにおける５−メチル化シトシンを少なくとも約５％だけ抑制又は減少するために必要な大きさで形成されたｓｉＲＮＡに前記細胞を接触させることを含む、請求項１３に記載の方法。
【請求項１６】
ステップ（ｂ）が、前記細胞内のグリシン−Ｎ−メチルトランスフェラーゼの発現、活性、又は発現及び活性両方を増加させるのに効果的なある量のレチノイン酸に前記細胞を接触させることを含む、請求項１３に記載の方法。
【請求項１７】
ステップ（ｂ）が、オールトランスレチノイン酸に前記細胞を接触させることを含む、請求項１６に記載の方法。
【請求項１８】
ステップ（ｂ）が、レチノイン酸受容体に結合する化合物に前記細胞を接触させることを含む、請求項１６に記載の方法。
【請求項１９】
ステップ（ａ）及び（ｂ）と同時に、５，１０−メチレンテトラヒドロ葉酸レダクターゼの発現、活性、又は発現及び活性を前記細胞内で特異的に抑制するステップをさらに含む、請求項１３に記載の方法。
【請求項２０】
ＳＥＱＩＤ番号：１４の核酸配列を含むｓｉＲＮＡに前記細胞を接触させることを含む、請求項１３に記載の方法。
【手続補正書】
【提出日】平成21年6月4日(2009.6.4)
【手続補正１】
【補正対象書類名】特許請求の範囲
【補正対象項目名】全文
【補正方法】変更
【補正の内容】
【特許請求の範囲】
【請求項１】
Ｂ−細胞特異的プロモーター／エンハンサーによって駆動される、ヒトｂｃｌ−２、マウスｂｃｌ−２、およびウサギｂｃｌ−２からなる群より選択される哺乳類のアポトーシス抑制因子ｂｃｌ−２のトランスジーンを含む、少なくとも一つのトランスジーン構築物を含む、短期リンパ球生産を経験する、ウサギ、鳥類、ニワトリ、ヒツジ、ヤギ、ウシ、ブタ、ウマ、およびロバからなる群より選択される、非ヒト・トランスジェニック動物。
【請求項２】
少なくとも一つの外因性免疫グロブリンを含む、少なくとも一つのトランスジーン構築物を含むことを特徴とする、請求項１に記載の非ヒト・トランスジェニック動物。
【請求項３】
前記外因性免疫グロブリンが、ヒト（化）免疫グロブリン重鎖および／または軽鎖配列である、請求項２に記載の非ヒト・トランスジェニック動物。
【請求項４】
前記トランスジーン構築物が、下記の順序：
ａ）免疫グロブリン；
ｂ）自己切断ペプチド；
ｃ）ヒトｂｃｌ−２、マウスｂｃｌ−２、およびウサギｂｃｌ−２からなる群より選択される哺乳類のアポトーシス抑制因子ｂｃｌ−２；および、任意に
ｄ）ａ）とｂ）の間に、アスパラギン酸プロテアーゼ、システインプロテアーゼ、メタロプロテアーゼ、セリンプロテアーゼ、およびトレオニンプロテアーゼの部位からなる群より選択されるプロテアーゼ切断部位、
でポリペプチド配列を含む融合タンパク質をコードすることを特徴とし、それによって前記融合タンパクが発現される、請求項２記載の非ヒト・トタンスジェニック動物。
【請求項５】
下記の順序：
ａ）免疫グロブリン；
ｂ）自己切断ペプチド；
ｃ）ヒトｂｃｌ−２、マウスｂｃｌ−２、およびウサギｂｃｌ−２からなる群より選択される哺乳類のアポトーシス抑制因子ｂｃｌ−２；および、任意に
ｄ）ａ）とｂ）の間に、アスパラギン酸プロテアーゼ、システインプロテアーゼ、メタロプロテアーゼ、セリンプロテアーゼ、およびトレオニンプロテアーゼの部位からなる群より選択されるプロテアーゼ切断部位、
でポリペプチド配列を含む融合タンパクをコードするトランスジーンを含む、トランスジェニック発現構築物。
【請求項６】
前記免疫グロブリンが、ヒト（化）免疫グロブリン重鎖および／または軽鎖である、請求項５に記載のトランスジェニック発現構築物。
【請求項７】
請求項５に記載のトランスジェニック発現構築物によって形質転換された、単離された宿主細胞。
【請求項８】
ウサギ、鳥類、ニワトリ、ヒツジ、ヤギ、ウシ、ブタ、ウマ、およびロバからなる群より選択される、非ヒト・トランスジェニック動物の外因性Ｂ−細胞内で、外因性免疫グロブリンの発現を選択的に強化するための方法であって、下記の順序：
ａ）外因性免疫グロブリン；
ｂ）自己切断ペプチド；
ｃ）ヒトｂｃｌ−２、マウスｂｃｌ−２、およびウサギｂｃｌ−２からなる群より選択される哺乳類のアポトーシス抑制因子ｂｃｌ−２；および、任意に
ｄ）ａ）とｂ）の間に、アスパラギン酸プロテアーゼ、システインプロテアーゼ、メタロプロテアーゼ、セリンプロテアーゼ、およびトレオニンプロテアーゼの部位からなる群より選択されるプロテアーゼ切断部位、
でポリペプチド配列を含む融合タンパクをコードするトランスジーン構築物を、該動物中に導入する工程を含み、
それによって、該外因性Ｂ細胞の生存率、および外因性免疫グロブリンの生産を強化する、方法。
【請求項９】
前記外因性免疫グロブリンが、ヒト（化）免疫グロブリン重鎖および／または軽鎖である、請求項８に記載の方法。
【手続補正書】
【提出日】平成21年7月2日(2009.7.2)
【手続補正１】
【補正対象書類名】特許請求の範囲
【補正対象項目名】全文
【補正方法】変更
【補正の内容】
【特許請求の範囲】
【請求項１】
ヒト又は動物被検者から身体活動信号を検出するように構成される埋め込み型活動センサと、
異なる定常状態活動レベルの複数の時間間隔を決めるために、身体活動信号を処理するように構成された信号プロセッサと、
異なる定常状態活動レベルに対応した第１のデータ値を提供するため、埋め込み型医療機器を使用して、被験者から、生理的活動以外の第１の生理的信号を検知するように構成された、埋め込み型の第１の生理的センサと、
異なる定常状態活動レベルに対応した第２のデータ値を提供するため、埋め込み型医療機器を使用して、被験者から、生理的活動および第１生理的信号以外の第２の生理的信号を検知するように構成された、埋め込み型の第２の生理的センサとを有し、
信号プロセッサは、異なる定常活動レベルにおける組み合わされたデータ値の第１のデータ組を形成するように、定常状態活動レベルなどにおける第１のデータ値と第２のデータ値とを組み合わせるように構成されているシステム。
【請求項２】
複数の活動レベルを検出するように構成される埋め込み型加速度計と、
活動レベルビンカウンタと合計レジスタとを含むプロセッサであって、候補活動レベルに関して、活動レベル値の範囲に対応する活動レベルビン値を決定し、かつ候補活動レベルの前後に検出される活動レベルからのビン値を使用して、候補活動レベルが定常状態にあったか否かを決定し、かつ候補活動レベルが、定常状態にあると決定される時、次に合計レジスタの１つ以上に候補活動レベルと同時に検出された生理的データを追加し、かつカウンタの１つ以上を増加させ、かつ活動レベルが、定常状態になく、かつ前活動レベルが、定常状態にあったと決定される時、次に１つ以上の合計レジスタ及び１つ以上のカウンタを使用して生理的データを平均するように構成されるプロセッサと
を含み、プロセッサは、同じビン値に対応する活動レベルで検出された前生理的データと、平均した生理的データを集計するように更に構成され、かつプロセッサは、集計された生理的データの平均を記憶するメモリを含むか、又はそれに連結されるシステム。
【請求項３】
プロセッサは、候補活動レベルが、前活動レベルの第１範囲内にあるか否かを決定し、候補活動レベルが、一連の前活動レベルの、第１範囲よりも大きい第２範囲内にあるか否かを決定し、かつ候補活動レベルの前後に検出される活動レベルを使用して、活動レベルが、上方又は下方への傾向を有するか否かを決定することによって、候補活動レベルが、定常状態にあったか否かを決定するように構成される請求項２に記載のシステム。
【請求項４】
プロセッサは、候補活動レベルのビン値が、前活動レベルのビン値の第１範囲内にあるか否かを決定し、候補活動レベルのビン値が、一連の前活動レベルのビン値の、第１範囲よりも大きい第２範囲内にあるか否かを決定し、かつ候補活動レベルの前後に検出される活動レベルからのビン値を使用して、活動レベルが、上方又は下方への傾向を有するか否かを決定することによって、候補活動レベルが、定常状態にあったか否かを決定するように構成される請求項２に記載のシステム。
【請求項５】
第１範囲は１つのビンであり、かつ第２範囲は２つのビンである請求項４に記載のシステム。
【請求項６】
集計された生理的データの平均を使用して決定された結果の指標を更に含む請求項２に記載のシステム。
【請求項７】
結果の指標は、心拍数、排出量、一回呼吸量、呼吸数、肺動脈拡張期圧データ、又は静脈血酸素レベルを集計するために、集計された生理的データの平均を使用して決定される請求項６に記載のシステム。
【請求項８】
プロセッサは、候補活動レベルに先行する規定の時間からの活動レベルが、規定の範囲内にないならば、候補活動レベルを定常状態にないとみなすことによって、候補活動レベルの前後に検出される活動レベルからのビン値を使用して、候補活動レベルが、定常状態にあったか否かを決定するように構成される請求項２に記載のシステム。
【請求項９】
信号プロセッサは、異なる定常状態活動レベルにおける組み合わされたデータ値であって、第１のデータセットよりも後に得られた第２のデータセットを形成し、かつ
第１のデータセットと第２のデータセットとの間の変化に基づいて、治療の指標を提供するように構成されている、請求項１に記載のシステム。
【請求項１０】
埋め込み型の第１の生理的センサは、心拍数、心拍出量、ストローク量、呼吸数、一回呼吸量、全毎分呼吸量、血管内血圧、または静脈血中酸素飽和度をのうちの少なくとも１つの指標を示す第１の物理的信号を検知するように構成されている、請求項１に記載のシステム。
【請求項１１】
埋め込み型の第２の生理的センサは、心拍数、心拍出量、排出量、呼吸数、一回呼吸量、全毎分呼吸量,血管内血圧または静脈血中酸素飽和度のうちの少なくとも１つの指標を示す第２の生理的信号を検知するように構成されている、請求項１に記載のシステム。
【請求項１２】
信号プロセッサは、特定の期間にわたって得た第１のデータ値と第２のデータ値の代表値を決定するように構成されている、請求項１に記載のシステム。
【手続補正書】
【提出日】平成21年7月21日(2009.7.21)
【手続補正１】
【補正対象書類名】特許請求の範囲
【補正対象項目名】全文
【補正方法】変更
【補正の内容】
【特許請求の範囲】
【請求項１】
壁および天井と、
床下地および仕上げ床と、を含み、前記床下地および仕上げ床は、
設備接続を有する少なくとも１つのポッドを含み、
前記ポッドの少なくとも１つは、
前記床下地と前記仕上げ床との間に取付けられ、且つ、
前記ポッドの上面が前記仕上げ床と面一である下げられた位置と、前記ポッドが前記仕上げ床の上に持ち上げられた上位置との間で移動可能である、
ことを特徴とする手術室。
【手続補正書】
【提出日】平成21年7月2日(2009.7.2)
【手続補正１】
【補正対象書類名】特許請求の範囲
【補正対象項目名】全文
【補正方法】変更
【補正の内容】
【特許請求の範囲】
【請求項１】
眼科学の検査機器、マルチスペクトル順次照明モジュール（１）、画像取得モジュール（４）、制御・安全モジュール（５）および評価ユニット（７）からなる眼底を観察、記録作成および／または検査するための装置であって、眼科学検査機器に結合された照明モジュール（１）が、少なくとも２基の強度および継続時間において、個々に調整可能な様々な波長の単色光が放出される個別光源（６.1，６.２）からなり、眼科学検査機器により、照明モジュール（１）から来る光が、検査すべき眼（３）を通じて画像取得モジュール（４）で結像し、同様に眼科学検査機器に結合された画像取得モジュール（４）が、照明モジュール（１）から放出される光の波長に同調し、その発光継続時間に同期するようになっており、制御・安全モジュール（５）により、照明モジュール（１）の個別光源（6.1，6.2）の時間的な順序、継続時間および強度が制御され、光負荷が監視され、および評価ユニット（７）により、制御・安全モジュール（５）が調整され、画像取得モジュール（４）から転送される眼底の撮像が算出され、補正され、改善され、組み合わされ、位置精度をもって重ね合わされる、眼底を観察、記録作成および／または検査するための装置。
【請求項２】
照明モジュール（１）が、主として単色の放射を眼の媒質の透明な領域３５０−９００ｎｍおよび１０００−１１５０ｎｍ内で放出し、個別光源（６.１， ６.２）が、４０ｎｍ未満のスペクトル半値幅を有する、請求項１に記載の装置。
【請求項３】
マルチスペクトル順次照明モジュール（１）の少なくとも1基の個別光源（６.１， ６.２）が、空間的および時間的に非常にコヒーレントな光を放出する、請求項１あるいは２に記載の装置。
【請求項４】
空間的および時間的に非常にコヒーレントな光を放出する照明モジュール（１）の個別光源（６.１, ６.２)が、主としてパルス運用されるレーザである、請求項１ないし３のうちの１項に記載の装置。
【請求項５】
照明モジュール（１）が、眼底を平面・高エネルギー照射するために、少なくとも1基のパルス型に運用される気体放電光源の形の個別光源（６.１)を使用する、請求項１ないし４のうちの１項に記載の装置。
【請求項６】
眼科学の検査機器の助けにより、マルチスペクトル順次照明モジュール（１）の光が、眼（３）を通じて画像取得モジュール（４）へ結像する、眼底を観察し、記録作成しおよび／または診断するための方法であって、強度および継続時間において個々に調整可能な眼科学検査機器に結合された少なくとも２基の個別光源（６.１， ６.２）から成る照明モジュール（１）が、さまざまな波長の単色光を放出し、この光は眼科学検査機器により、検査すべき眼（３）を通じて、同様に眼科学検査機器に結合された画像取得モジュール（４）で結像し、画像取得モジュール（４）は照明モジュールから放出される光の波長に同調し、その発光継続時間に同期する装置であって、制御・安全モジュール（５）により照明モジュール（１）の個別光源（６.１， ６.２）の時間的な順序、継続時間および強度が制御され、検査すべき眼（３）の光負荷が監視され、および評価ユニット（７）により制御・安全モジュール（５）が調整され、画像取得モジュール（４）から転送される眼底の撮像が算出され、補正され、改善され、組み合わされ、位置精度をもって重ね合わされる方法。
【請求項７】
評価ユニット（７）が、画像取得モジュール（４）から引き渡された画像の押し動かしを、相関アルゴリズムを適用することによって画像の切り出しから決定する、請求項６に記載の方法。
【請求項８】
評価ユニット（７）が決まった値だけ押し動かした補正画像を重ね合わせ、色の、もしくは平均された単色画像を得る、請求項６あるいは７に記載の方法。
【請求項９】
評価ユニット（７）が、画像取得モジュール（４）から引き渡された画像の押し動かしを、両画像の相互相関の最も明るい画素およびｘ方向でその次の両隣画素が決定され、方程式系
ｙ１＝Ａ・（ｘ１−ｘ０）２＋Ｂ
ｙ２＝Ａ・（x２−ｘ０）２＋Ｂ
ｙ３＝Ａ・（ｘ３−ｘ０）２＋Ｂ
が解かれ、求められた押し動かしの値が整数部とサブピクセル残余とに分解され、そして求められた押し動かしの全成分が補償されることによって、サブピクセル領域で求め、以上の経過がｙ方向についてもう一度繰り返される、請求項６ないし８のうちの１項に記載の方法。
【請求項１０】
評価ユニット（７）が、数枚の画像を各空間方向でそのサブピクセルを押し動かし、大きさに従いｎ等分の間隔階級に分け、その後全画像を１間隔階級内で算術平均し、この間隔階級は、各ｎ列およびｎ行が他の画像について自由のままであり、ｎ倍大きい分解能に高められた画像をその後フーリエ変換し、補正画像の配分のフーリエ変換の複素量によって分け、得られた画像を逆フーリエ変換し、そのようなｎ倍分解能を有する画像を決定するように成り立つｎ２枚の下部画像をｎ倍大きい画像フィールド内へ画素ごとに互いへ組み込み書き入れ、ここで補正画像が分解能を高められた画像と同じ分解能を持ち、補正画像の全画素は値０を持ち、例外として、ｎ−ｎピクセルの正方形が値１／ｎ２を有する、請求項９に記載の方法。
【請求項１１】
評価ユニットが、画像取得モジュール（４）から引き渡され、それぞれ整数部だけｘおよびｙ方向に押し動かされ取得された画像を、整数の画素指数を有する値が部分画像１、非整数を有するものが部分画像２を作り、各部分画像について０と置かれた計数変数が割り当てられているように、２倍の大きさの画像フィールド内へ画素ごとに書き入れ、ここで押し動かされのサブピクセル残余が参照画像へ０．２５と０．７５との間にある画像が部分画像１に加算されて、対応する計数変数が１だけ大きくされ、押し動かしのサブピクセル残余が参照画像へ０と０．２５との間または０．７５と１との間にある画像は部分画像２に加算されて、対応する計数変数が１だけ大きくされ、このプロシジャが全画像について、およびｙ方向について等価のものが繰り返され、および部分画像を属する計数変数によって除することによって、２倍分解能を有する画像が発生する、請求項１０に記載の方法。
【請求項１２】
眼底が、マルチスペクトル順次照明モジュール（１）により血流を測定するために、偏光を用いて照明され、画像取得モジュール（４）により眼底から反射し、数回散乱され、復極した光が少なくとも２枚の直接続く撮像の形で取得され、および位置分解能のある相関解析のため評価ユニット（７）へ転送される、請求項６ないし１１のうちの１項に記載の方法。
【手続補正書】
【提出日】平成21年7月2日(2009.7.2)
【手続補正１】
【補正対象書類名】特許請求の範囲
【補正対象項目名】全文
【補正方法】変更
【補正の内容】
【特許請求の範囲】
【請求項１】
患者の脳または脊髄の硬膜外腔または脳脊髄液（CSF）空間内に配置され得る圧縮性構成物、
圧縮性構成物の拡張および圧縮のために前記圧縮性構成物につながれたポンプ、ならびに
前記ポンプにつながれたリザーバー
を含んでなる振動コンプライアンス装置。
【請求項２】
前記ポンプと患者のバイオリズム源を同期させるために、前記ポンプにつながれて患者のバイオリズムの源をつなぐバイオリズム同期装置をさらに含んでなる、請求項１記載の振動コンプライアンス装置。
【請求項３】
圧縮性構成物が、液体、気体および展性物質からなる群より選択される物質を含むバルーンカテーテルである、請求項１記載の振動コンプライアンス装置。
【請求項４】
気体がヘリウムおよび空気からなる群より選択される、請求項３記載の振動コンプライアンス装置。
【請求項５】
リザーバーが、心膜および腹膜嚢からなる群より選択される体腔内に配置される、請求項１記載の振動コンプライアンス装置。
【請求項６】
患者の脳の硬膜外腔内に配置され得る圧縮性構成物が、約10〜50ミリメートルの長さ、約5〜約20ミリメートルの幅および約4〜約5ミリメートルの厚みを有する、請求項１記載の振動コンプライアンス装置。
【請求項７】
患者の脳のCSF空間内に配置され得る圧縮性構成物が、約5〜約10ミリメートルの長さ、約1〜約10ミリメートルの幅および約1〜約5ミリメートルの厚みを有する、請求項１記載の振動コンプライアンス装置。
【請求項８】
患者の脊髄の硬膜外腔内に配置され得る圧縮性構成物が、約10〜約50ミリメートルの長さ、約1〜約10ミリメートルの幅および約1〜約5ミリメートルの厚みを有する、請求項１記載の振動コンプライアンス装置。
【請求項９】
圧縮性構成物が、患者のL4およびL5椎体周囲の硬膜外腔に配置され得る、請求項１記載の振動コンプライアンス装置。
【請求項１０】
患者の頭蓋腔内の患者の頭蓋内圧（ICP）を測定するための頭蓋内モニターをさらに含んでなる、請求項１記載の振動コンプライアンス装置。
【請求項１１】
患者のバイオリズムの源が、患者の心臓の電気的律動、患者の心臓血管圧脈拍および患者のICP波からなる群より選択される、請求項２記載の振動コンプライアンス装置。
【請求項１２】
バイオリズム源が患者の心臓の電気的律動であり、バイオリズム同期装置が心臓同期装置である、請求項２記載の振動コンプライアンス装置。
【請求項１３】
ポンプが、モーター式バッテリーおよび生理学的誘導出力からなる群より選択される源により動力を供給される、請求項１記載の振動コンプライアンス装置。
【請求項１４】
それぞれが、
圧縮性構成物、
圧縮性構成物の拡張および圧縮のために前記圧縮性構成物につながれたポンプ、ならびに
前記ポンプにつながれたリザーバーを有する請求項１記載の２つ以上の振動コンプライアンス装置を含む振動コンプライアンスシステムであって、該圧縮性構成物が自由に拡張および圧縮して個体の頭蓋内コンプライアンス（ICC）、脳の血流（CBF）、ICP拍動性、またはその組合せに影響し得る、振動コンプライアンスシステム。
【請求項１５】
前記ポンプと患者のバイオリズム源を同期させるために、２つ以上の振動コンプライアンス装置の少なくとも１つが、前記ポンプにつながれて患者のバイオリズムの源をつなぐバイオリズム同期装置をさらに含んでなる、請求項１４記載の振動コンプライアンスシステム。
【請求項１６】
２つ以上の振動コンプライアンス装置の圧縮性構成物が、液体、気体および展性物質からなる群より選択される物質を含むバルーンカテーテルである、請求項１４記載の振動コンプライアンスシステム。
【請求項１７】
２つ以上の振動コンプライアンス装置のリザーバーが、頭蓋脊椎外、皮下および体腔内からなる群より選択される位置に配置される、請求項１４記載の振動コンプライアンスシステム。
【手続補正書】
【提出日】平成21年7月21日(2009.7.21)
【手続補正１】
【補正対象書類名】特許請求の範囲
【補正対象項目名】全文
【補正方法】変更
【補正の内容】
【特許請求の範囲】
【請求項１】
コンピュータプロセッサ、患者に放射線を放出するように動作可能な放射線モジュール、および透過放射線を収集するように動作可能な検出器を含む放射線療法装置と、
前記コンピュータプロセッサがアクセス可能なコンピュータ可読媒体に記憶され、呼吸サイクルの位相を表す複数の患者画像を取得し、前記収集された透過放射線から前記患者の伝送データを取得し、前記伝送データを前記複数の患者画像と比較するように動作可能なソフトウェアプログラムと、
を備える放射線療法を受けている患者の呼吸位相を検出するシステム。
【請求項２】
前記放射線モジュールは、前記呼吸サイクルの少なくとも１つの位相の間に放射線を放出する、請求項１に記載のシステム。
【請求項３】
前記ソフトウェアプログラムはさらに、前記比較の少なくとも部分に基づいて前記呼吸サイクルを追跡するように動作可能である、請求項１に記載のシステム。
【請求項４】
前記ソフトウェアプログラムはさらに、前記比較の少なくとも部分に基づいて前記患者の解剖学的変化を決定するように動作可能である、請求項１に記載のシステム。
【請求項５】
前記ソフトウェアプログラムは、複数の患者画像を、複数の３次元患者画像を取得することによって取得し、前記比較は、前記伝送データを前記複数の３次元画像と比較するステップを含む、請求項１に記載のシステム。
【請求項６】
前記複数の３次元画像は、決定された第１の呼吸状態における前記患者の第１の３次元スナップショットと、決定された第２の呼吸状態における前記患者の第２の３次元スナップショットとを含む、請求項５に記載のシステム。
【請求項７】
３次元画像を取得する前記ステップは、前記患者に療法を提供する前に前記複数の３次元画像を取得するステップを含む、請求項５に記載のシステム。
【請求項８】
前記放射線モジュールはマルチリーフコリメータ（ＭＬＣ）を含み、前記比較は、ＭＬＣパターンを考慮するステップを含む、請求項１に記載のシステム。
【請求項９】
前記ソフトウェアプログラムはさらに、前記比較を使用して位相を決定し、決定された位相を使用して放射線の前記引渡しを変更するように動作可能である、請求項１に記載のシステム。
【請求項１０】
前記放射線モジュールは、メガボルテージＣＴ、キロボルテージＣＴまたは円錐ビームＣＴシステムを使用して、前記患者を貫通する放射線を放出し、伝送データの収集は、前記患者を貫通して引渡しされた前記放射線の伝送データの収集を含む、請求項１に記載のシステム。
【請求項１１】
前記放射線モジュールは、前記患者を貫通して治療放射線を放出し、伝送データの収集は、治療放射線の伝送データの収集を含む、請求項１に記載のシステム。
【請求項１２】
伝送データを収集する前記ステップに対してより修正可能であるように前記患者の治療を変更するステップをさらに含む、請求項１１に記載のシステム。
【請求項１３】
前記放射線モジュールは、蛍光透視装置を使用して、前記患者を貫通する放射線を放出し、伝送データの収集は、前記患者を貫通して引渡しされた前記放射線の伝送データの収集を含む、請求項１に記載のシステム。
【請求項１４】
前記ソフトウェアプログラムは複数の画像に基づいてデータを事前に計算するように動作可能であり、前記ソフトウェアプログラムさらに、前記伝送データを事前に計算されたデータと比較するように動作可能である、請求項１に記載のシステム。
【請求項１５】
前記放射線は治療計画に従って施され、前記伝送データと前記複数の患者画像の比較は、システムパラメータが考慮される、請求項１に記載のシステム。
【請求項１６】
前記ソフトウェアプログラムはさらに、呼吸サイクルの位相を、前記比較を使用して決定し、決定された位相を線量計算に使用するように動作可能である、請求項１に記載のシステム。
【請求項１７】
前記ソフトウェアプログラムはさらに、呼吸サイクルの位相を、前記比較を使用して決定し、決定された位相を使用して運動モジュールを構築するように動作可能である、請求項１に記載のシステム。
【請求項１８】
前記複数の画像がコンピュータ断層撮影システムによる、請求項１に記載のシステム。
【請求項１９】
前記複数の画像は磁気共鳴画像化システムによる、請求項１に記載のシステム。
【手続補正書】
【提出日】平成21年7月16日(2009.7.16)
【手続補正１】
【補正対象書類名】特許請求の範囲
【補正対象項目名】全文
【補正方法】変更
【補正の内容】
【特許請求の範囲】
【請求項１】
移植可能な医療用製品の少なくとも一部上に形成させたコーティングを含む前記移植可能な医療用製品であって、
前記コーティングが、下記：
（ｉ）次の式：
−Ｒ1Ｒ2ＮＲ3Ｒ4
（式中、Ｒ1は、下記：
【化１】
2009502243.tif 000001
であり；
Ｒ2は、Ｃ1〜Ｃ8の直鎖又は分岐鎖のアルキルであり；そして
Ｒ3及びＲ4は両方とも前記窒素に結合し、そしてそれぞれ、Ｈ又はＣ1〜Ｃ6の直鎖若しくは分岐鎖のアルキルである）
を有する少なくとも１種のペンダント型アミン含有基；及び
（ｉｉ）前記コーティングを形成するように結合している、少なくとも１種のペンダント型の潜在性の反応した基：
を含むポリマーを含む、前記移植可能な医療用製品。
【請求項２】
前記ペンダント型アミン含有基が、次の式：
−Ｒ1Ｒ2ＮＲ3Ｒ4
を有し、そして
Ｒ1が、下記：
【化２】
2009502243.tif 000002
であり、
Ｒ2が、Ｃ2〜Ｃ4の直鎖又は分岐鎖のアルキルであり；そして
Ｒ3及びＲ4が、両方とも前記窒素に結合し、そしてそれぞれ、Ｈ、ＣＨ3又はＣ2Ｈ5である、請求項１に記載の移植可能な医療用製品。
【請求項３】
前記ポリマーが、３−アミノプロピルメタクリルアミド、３−アミノエチルメタクリルアミド及びジメチルアミノプロピルメタクリルアミドから成る群から選択される１種又は２種以上のモノマーを含む、請求項２に記載の移植可能な医療用製品。
【請求項４】
前記ポリマーが、３−アミノプロピルメタクリルアミド（ＡＰＭＡ）を含む、請求項３に記載の移植可能な医療用製品。
【請求項５】
前記ペンダント型アミン含有基が、前記ポリマー中の総モノマーユニットに基づいて、前記ポリマーの５０％以上のモル濃度量で存在する、請求項１に記載の移植可能な医療用製品。
【請求項６】
前記ペンダント型アミン含有基が、前記ポリマー中の総モノマーユニットに基づいて、前記ポリマーの９０％〜９９．９５％の範囲のモル濃度量で存在する、請求項５に記載の移植可能な医療用製品。
【請求項７】
前記ペンダント型の潜在性の反応した基が、光反応した基を含む、請求項１に記載の移植可能な医療用製品。
【請求項８】
前記光反応した基が、アセトフェノン、ベンゾフェノン、アントラキノン、アントロン及びアントロン様複素環、並びにそれらの置換された誘導体から成る群から選択される、請求項７に記載の移植可能な医療用製品。
【請求項９】
前記光反応した基が、前記ポリマー中の総モノマーユニットに基づいて、０．１％〜１０％の範囲のモル濃度量で存在する、請求項８に記載の移植可能な医療用製品。
【請求項１０】
前記ポリマーが、２０ｋＤａ〜２０００ｋＤａの範囲の分子量を有する、請求項１に記載の移植可能な医療用製品。
【請求項１１】
前記コーティングが人工血管上に存在する、請求項１に記載の移植可能な医療用製品。
【請求項１２】
前記コーティングが、前記製品の多孔質構造体に存在する、請求項１に記載の移植可能な医療用製品。
【請求項１３】
マトリックスたんぱく質を含む、請求項１に記載の移植可能な医療用製品。
【請求項１４】
移植可能な医療用製品の少なくとも一部上に形成されたコーティングを含む前記移植可能な医療用製品であって、
前記コーティングが、ポリエチレンイミン（ＰＥＩ）、ポリプロピレンイミン（ＰＰＩ）及びポリアミドアミンから成る群から選択されるポリマーを含み、
前記ポリマーが、前記コーティングを形成するように結合している、少なくとも１種のペンダント型の潜在性の反応した基を含む、
前記移植可能な医療用製品。
【請求項１５】
次の各ステップ；
（ａ）移植可能な医療用製品を得るステップ、ここで当該製品の少なくとも一部上に、コーティングを形成させ、当該コーティングは、下記を含むポリマーを含み：
（ｉ）次の式：
−Ｒ1Ｒ2ＮＲ3Ｒ4
（式中、Ｒ1は下記：
【化３】
2009502243.tif 000003
であり、
Ｒ2は、Ｃ1〜Ｃ8の直鎖又は分岐鎖のアルキルであり；そして
Ｒ3及びＲ4は両方とも前記窒素に結合し、そしてそれぞれ、Ｈ又はＣ1〜Ｃ6の直鎖若しくは分岐鎖のアルキルである）
を有する少なくとも１種のペンダント型アミン含有基：及び
（ｉｉ）前記コーティングを形成するように結合している、少なくとも１種のペンダント型の潜在性の反応した基；そして
（ｂ）前記製品を患者に移植するステップ：
を含む、前記移植可能な医療用製品を用いるための方法。
【請求項１６】
次の各ステップ；
（ａ）製品を得るステップ；
（ｂ）前記製品の少なくとも一部上にコーティング組成物を配置するステップ、前記コーティング組成物は、下記を有するポリマーを含む；
（ｉ）次の式：
−Ｒ1Ｒ2ＮＲ3Ｒ4
（式中、Ｒ1は、下記：
【化４】
2009502243.tif 000004
であり、
Ｒ2は、Ｃ1〜Ｃ8の直鎖又は分岐鎖のアルキルであり；そして
Ｒ3及びＲ4は両方とも前記窒素に結合し、そしてそれぞれ、Ｈ又はＣ1〜Ｃ6の直鎖若しくは分岐鎖のアルキルである）
を有する、少なくとも１種のペンダント型アミン含有基；及び
（ｉｉ）少なくとも１種のペンダント型潜在性反応性基；そして
（ｃ）前記ペンダント型潜在性反応性基を活性化して前記ポリマーを結合させ、それにより前記コーティングを形成させるために、前記コーティング組成物を処理するステップ、ここで前記コーティングは、細胞が当該コーティングに長期間にわたり接着することを促進するために十分である：
を含む、前記製品上にコーティングを形成させるための方法。
【請求項１７】
前記ポリマーが、１０μｇ／ｍＬ〜２０ｍｇ／ｍＬの範囲において、前記コーティング組成物中に存在する、請求項１６に記載の方法。
【請求項１８】
前記潜在性反応性基が光反応性基である、請求項１６に記載の方法。
【請求項１９】
前記処理するステップが、前記光反応性基に、１９０ｎｍ〜３６０ｎｍの範囲の紫外線を照射することを含む、請求項１８に記載の方法。
【請求項２０】
前記処理するステップが、前記光反応性基に、０．１ｍＷ／ｃｍ2〜２０ｍＷ／ｃｍ2の範囲における紫外線の線量を照射することを含む、請求項１９に記載の方法。
【手続補正書】
【提出日】平成21年7月21日(2009.7.21)
【手続補正１】
【補正対象書類名】特許請求の範囲
【補正対象項目名】全文
【補正方法】変更
【補正の内容】
【特許請求の範囲】
【請求項１】
患者の放射線療法治療を遠隔指示する方法であって、前記放射線療法治療は放射線療法システムによってデリバリされるものであり、
前記放射線療法システムとは別のリモート・コンピュータを使用して患者情報に遠隔アクセスするステップと、
前記患者情報の少なくとも一部を処理するステップと、
前記放射線療法システムの現場の人に、前記処理された情報の少なくとも一部を提供するステップと
を備え、
前記治療の少なくとも一部が前記患者へデリバリされており、
前記患者情報が前記デリバリされた部分から得られる、
方法。
【手続補正書】
【提出日】平成21年7月21日(2009.7.21)
【手続補正１】
【補正対象書類名】特許請求の範囲
【補正対象項目名】全文
【補正方法】変更
【補正の内容】
【特許請求の範囲】
【請求項１】
関心領域が移動しているときに放射線受渡し装置を制御する方法において、
放射線療法を送達する計画を作成するステップと、
前記計画に従うことによって、前記関心領域に放射線療法を施すステップと、
放射線療法を送達する前記ステップの間、前記関心領域を監視するステップと、
放射線療法を施す間に、前記関心領域を監視する前記ステップの少なくとも一部に基づいて、治療パラメータを変更するステップと、
を含む方法。
【請求項２】
前記放射線受渡し装置は、マルチリーフコリメータ（ＭＬＣ）を含み、治療パラメータを変更する前記ステップは、ＭＬＣパラメータを変更するステップを含む、請求項１に記載の方法。
【請求項３】
前記ＭＬＣパラメータが、ＭＬＣパターンとＭＬＣタイミングのうちの少なくとも一方を含む、請求項２に記載の方法。
【請求項４】
ＭＬＣパラメータの変更する前記ステップは、前記計画を再整理するステップを含む、請求項２に記載の方法。
【請求項５】
ＭＬＣパラメータの変更する前記ステップは、前記計画をスケーリングするステップを含む、請求項２に記載の方法。
【請求項６】
ＭＬＣパラメータの変更する前記ステップは、前記計画を動的に最適化するステップを含む、請求項２に記載の方法。
【請求項７】
ＭＬＣパラメータの変更する前記ステップが更に、線量測定情報に基づく、請求項２に記載の方法。
【請求項８】
前記線量測定情報は、その時点のセッションの累積線量と、全てのセッションの累積線量とのうちの少なくとも一方を含む、請求項７に記載の方法。
【請求項９】
ＭＬＣパラメータの変更する前記ステップは、前記計画を使用した変形を実行するステップを含む、請求項７に記載の方法。
【請求項１０】
前記放射線受渡し装置は、ガントリを含み、治療パラメータを変更する前記ステップは、ガントリパラメータを変更するステップを含む、請求項１に記載の方法。
【請求項１１】
前記ガントリパラメータは、ガントリ速度とガントリ方向のうちの少なくとも一方を含む、請求項１０に記載の方法。
【請求項１２】
前記放射線受渡し装置は、治療台を含み、治療パラメータを変更する前記ステップは、治療台パラメータを変更するステップを含む、請求項１に記載の方法。
【請求項１３】
前記支持具パラメータは、治療台速度と治療台方向のうちの少なくとも一方を含む、請求項１２に記載の方法。
【請求項１４】
前記放射線受渡し装置は、ジョーを有する放射線モジュールを含み、治療パラメータを変更する前記ステップは、ジョーパラメータを変更するステップを含む、請求項１に記載の方法。
【請求項１５】
前記ジョーパラメータは、ジョー位置とジョー方向のうちの少なくとも一方を含む、請求項１４に記載の方法。
【請求項１６】
前記放射線受渡し装置は、放射線モジュールを含み、治療パラメータを変更する前記ステップは、放射線モジュールパラメータを変更するステップを含む、請求項１に記載の方法。
【請求項１７】
前記放射線モジュールパラメータが放射線モジュール出力を含む、請求項１６に記載の方法。
【手続補正書】
【提出日】平成21年7月21日(2009.7.21)
【手続補正１】
【補正対象書類名】特許請求の範囲
【補正対象項目名】全文
【補正方法】変更
【補正の内容】
【特許請求の範囲】
【請求項１】
システム・レベルの品質保証の方法であって、
患者の画像データを取得するステップと、
少なくとも部分的に前記画像データに基づいて前記患者のための治療プランを生成するステップであって、治療プランは、前記患者へデリバリされる計算された放射線量を含むものである、ステップと、
実質的に治療位置において前記患者のオンライン画像を取得するステップと、
前記計算された放射線量の少なくとも一部を前記患者へデリバリするステップと、
前記治療プランのデリバリに関する品質保証基準を監視するステップと、
前記患者が受けた前記放射線量を計算するステップと、
前記品質保証基準および前記患者が受けた前記放射線量に基づいて、前記治療プランのデリバリが意図した通りに行われたかどうかを判定するステップと
を備える方法。
【手続補正書】
【提出日】平成21年7月21日(2009.7.21)
【手続補正１】
【補正対象書類名】特許請求の範囲
【補正対象項目名】請求項１
【補正方法】変更
【補正の内容】
【請求項１】
治療プランを適合させる方法であって、
患者の状態を治療するために、前記患者に対する治療プランを作成するステップであって、前記患者の内部の基準画像を得ることを含む、ステップと、
実質的に治療位置において前記患者の３次元内部画像を取得するステップと、
前記画像のデフォーメーション可能なレジストレーションを実施するステップと、
前記患者へ送達される放射線量に関連するデータを取得するステップと、
送達される前記放射線量と患者効果とを関連付けるために生物学的モデルを適用するステップと、
前記デフォーメーション可能なレジストレーションおよび前記生物学的モデルに基づいて、放射線を送る装置において、前記治療プランの後続の線量の送達を適合させるステップと
を備える方法。
【手続補正２】
【補正対象書類名】特許請求の範囲
【補正対象項目名】請求項２４
【補正方法】変更
【補正の内容】
【請求項２４】
コンピュータにより実行され得るコンピュータ可読媒体により実施される、治療システムで使用するためのコンピュータ・プログラムであって、
患者に対する治療プランを生成するように動作する治療プラン・モジュールであって、前記治療プランは少なくとも部分的に前記患者の内部の基準画像に基づくものである、治療プラン・モジュールと、
実質的に治療位置において前記患者の少なくとも一部分の３次元の内部の画像を取得するように動作する画像取得モジュールと、
前記基準画像と取得した前記画像との間でデフォーメーション可能なレジストレーションを生成するように動作するデフォーメーション・モジュールと、
前記患者へ送達される放射線量と、前記患者に対する前記放射線量の効果とを関連付けるように、また、前記デフォーメーション可能なレジストレーションおよび生物学的モデルに基づいて、前記治療プランの後続の線量の送達を適合させるように、動作するモデリング・モジュールと
を備えるコンピュータ・プログラム。
【手続補正書】
【提出日】平成21年7月21日(2009.7.21)
【手続補正１】
【補正対象書類名】特許請求の範囲
【補正対象項目名】全文
【補正方法】変更
【補正の内容】
【特許請求の範囲】
【請求項１】
変形性関節症を治療するために特定される医薬品を製造するための、レニン−アンギオテンシン系の成分の活性または発現をダウンレギュレーションすることができる薬剤の使用。
【請求項２】
軟骨または皮膚の疾患または状態を治療するために特定される医薬品を製造するための、レニン−アンギオテンシン系の成分の活性または発現をダウンレギュレーションすることができる薬剤の使用。
【請求項３】
軟骨の疾患はリウマチ様関節炎ではない、請求項２に記載の使用。
【請求項４】
前記薬剤はアンギオテンシン変換酵素阻害剤である、請求項１または２に記載の使用。
【請求項５】
前記アンギオテンシン変換酵素阻害剤は、ＡＢ−１０３、アンコベニン、ベナゼプリラト、ＢＲＬ−３６３７８、ＢＷ−Ａ５７５Ｃ、ＣＧＳ−１３９２８Ｃ、ＣＬ２４２８１７、ＣＶ−５９７５、Ｅｑｕａｔｅｎ、ＥＵ４８６５、ＥＵ４８６７、ＥＵ−５４７６、ホロキシミチン、ＦＰＬ６６５６４、ＦＲ−９００４５６、Ｈｏｅ−０６５、Ｉ５Ｂ２、インドラプリル、ケトメチルウレアス、ＫＲＩ−１１７７、ＫＲＩ−１２３０、Ｌ６８１１７６、リベンザプリル、ＭＣＤ、ＭＤＬ−２７０８８、ＭＤＬ−２７４６７Ａ、モベルチプリル、ＭＳ−４１、ニコチアナミン、ペントプリル、フェナセイン、ピボプリル、レンチアプリル、ＲＧ−５９７５、ＲＧ−６１３４、ＲＧ−６２０７、ＲＧＨ０３９９、ＲＯＯ−９１１、ＲＳ−１００８５−１９７、’ＲＳ−２０３９、ＲＳ５１３９、ＲＳ８６１２７、ＲＵ−４４４０３、Ｓ−８３０８、ＳＡ−２９１、スピラプリラト、ＳＱ２６９００、ＳＱ−２８０８４、ＳＱ−２８３７０、ＳＱ−２８９４０、ＳＱ−３１４４０、Ｓｙｎｅｃｏｒ、ウチバプリル、ＷＦ−１０１２９、Ｗｙ−４４２２１、Ｗｙ−４４６５５、Ｙ−２３７８５、Ｙｉｓｓｕｍ、Ｐ−０１５４、ザビシプリル、Ａｓａｈｉ  Ｂｒｅｗｅｒｙ  ＡＢ−４７、アラトリオプリル、ＢＭＳ１８２６５７、Ａｓａｈｉ  Ｃｈｅｍｉｃａｌ  Ｃ−１１１、Ａｓａｈｉ  Ｃｈｅｍｉｃａｌ  Ｃ−１１２、Ｄａｉｎｉｐｐｏｎ  ＤＵ−１７７７、ミキサンプリル、Ｐｒｅｎｔｙｌ、ゼフェノプリラト、１（−（Ｉ−カルボキシ−６−（４−ピペリジニル）ヘキシル）アミノ）−１−オキソプロピルオクタヒドロ−１Ｈ−インドール−２−カルボン酸、Ｂｉｏｐｒｏｊｅｃｔ  ＢＰ１．１３７、Ｃｈｉｅｓｉ  ＣＨＦ１５１４、Ｆｉｓｏｎｓ  ＦＰＬ−６６５６４、イドラプリル、ペリンドプリラトおよびＳｅｒｖｉｅｒ  Ｓ−５５９０、アラセプリル、ベナゼプリル、カプトプリル、シラザプリル、デラプリル、エナラプリル、エナラプリラト、ホシノプリル、ホシノプリラト、イミダプリル、リシノプリル、ペリンドプリル、キナプリル、ラミプリル、ラミプリラト、酢酸サララシン、テモカプリル、トランドラプリル、トランドラプリラト、セラナプリル、モエキシプリル、キナプリラトおよびスピラプリルからなる群から選択される、請求項１に記載の使用。
【請求項６】
前記薬剤はＮＥＰ／ＡＣＥ阻害剤である、請求項１または２に記載の使用。
【請求項７】
前記薬剤はＡＴ１受容体アンタゴニストである、請求項１または２に記載の使用。
【請求項８】
前記ＡＴ１受容体アンタゴニストは、酢酸サララシン、カンデサルタンシレキセチル、ＣＧＰ−６３１７０、ＥＭＤ−６６３９７、ＫＴ３−６７１、ＬＲ−Ｂ／０８１、バルサルタン、Ａ−８１２８２、ＢＩＢＲ−３６３、ＢＩＢＳ−２２２、ＢＭＳ−１８４６９８、カンデサルタン、ＣＶ−１１１９４、ＥＸＰ−３１７４、ＫＷ−３４３３、Ｌ−１６１１７７、Ｌ−１６２１５４、ＬＲ−Ｂ／０５７、ＬＹ−２３５６５６、ＰＤ−１５０３０４、Ｕ−９６８４９、Ｕ−９７０１８、ＵＰ−２７５−２２、ＷＡＹ−１２６２２７、ＷＫ−１４９２．２Ｋ、ＹＭ−３１４７２、ロサルタンカリウム、Ｅ４１７７、ＥＭＤ−７３４９５、エプロサルタン、ＨＮ−６５０２１、イルベサルタン、Ｌ−１５９２８２、ＭＥ−３２２１、ＳＬ−９１．０１０２、Ｔａｓｏｓａｒｔａｎ、Ｔｅｌｍｉｓａｒｔａｎ、ＵＰ−２６９−６、ＹＭ−３５８、ＣＧＰ−４９８７０、ＧＡ−００５６、Ｌ−１５９６８９、Ｌ−１６２２３４、Ｌ−１６２４４１、Ｌ−１６３００７、ＰＤ−１２３１７７、Ａ−８１９８８、ＢＭＳ−１８０５６０、ＣＧＰ−３８５６０Ａ、ＣＧＰ−４８３６９、ＤＡ−２０７９、ＤＥ−３４８９、ＤｕＰ−１６７、ＥＸＰ−０６３、ＥＸＰ−６１５５、ＥＸＰ−６８０３、ＥＸＰ−７７１１、ＥＸＰ−９２７０、ＦＫ−７３９、ＨＲ−７２０、ＩＣＩ−Ｄ６８８８、ＩＣＩ−Ｄ７１５５、ＩＣＩ−Ｄ８７３１、イソテオリン、ＫＲＩ−１１７７、Ｌ−１５８８０９、Ｌ−１５８９７８、Ｌ−１５９８７４、ＬＲ  Ｂ０８７、ＬＹ−２８５４３４、ＬＹ−３０２２８９、ＬＹ−３１５９９５、ＲＧ−１３６４７、ＲＷＪ−３８９７０、ＲＷＪ−４６４５８、Ｓ−８３０７、Ｓ−８３０８、サプリサルタン、サララシン、Ｓａｒｍｅｓｉｎ、ＷＫ−１３６０、Ｘ−６８０３、ＺＤ−６８８８、ＺＤ−７１５５、ＺＤ−８７３１、ＢＩＢＳ３９、ＣＩ−９９６、ＤＭＰ−８１１、ＤｕＰ−５３２、ＥＸＰ−９２９、Ｌ−１６３０１７、ＬＹ−３０１８７５、ＸＨ−１４８、ＸＲ−５１０、ゾラサルタンおよびＰＤ−１２３３１９からなる群から選択される、請求項７に記載の使用。
【請求項９】
前記薬剤はレニン阻害剤である、請求項１または２に記載の使用。
【請求項１０】
前記レニン阻害剤は、エナルクレイン、ＲＯ４２−５８９２、Ａ６５３１７、ＣＰ８０７９４、ＥＳ１００５、ＥＳ８８９１、ＳＱ３４０１７、ＣＧＰ２９２８７、ＣＧＰ３８５６０、ＳＲ４３８４５、Ｕ−７１０３８、Ａ６２１９８、Ａ６４６６２、Ａ−６９７２９、ＦＫ９０６およびＦＫ７４４からなる群から選択される、請求項９に記載の使用。
【請求項１１】
前記薬剤は、前記レニン−アンギオテンシン系の少なくとも１つの成分を発現する内因性の核酸配列に向けられたオリゴヌクレオチドである、請求項１または２に記載の使用。
【請求項１２】
前記軟骨の疾患または状態は、変形性関節症、制限された関節の運動性、痛風、リウマチ様関節炎、軟骨融解、強皮症、変性椎間板疾患および全身性エリテマトーデスからなる群から選択される、請求項２に記載の使用。
【請求項１３】
前記皮膚の疾患または状態は、しわ形成、乾癬、ケロイドおよび火傷からなる群から選択される、請求項２に記載の使用。
【請求項１４】
リソソーム蓄積状態または嚢胞性線維症を治療するために特定される医薬品を製造するための、レニン−アンギオテンシン系の成分の活性および／または発現をアップレギュレーションすることができる薬剤の使用。
【請求項１５】
前記薬剤はアンギオテンシンＩＩアゴニストまたはアンギオテンシンＩＩ活性化因子である、請求項１４に記載の使用。
【請求項１６】
リソソーム蓄積状態はムコ多糖症の状態である、請求項１４に記載の使用。
【請求項１７】
前記変形性関節症はＧＡＧのダウンレギュレーションと関連する、請求項１に記載の使用。
【請求項１８】
前記軟膏または皮膚の疾患はＧＡＧのダウンレギュレーションと関連する、請求項２に記載の使用。